(57)【要約】      （修正有）【課題】デザインによって、光ファイバーを織物の表面に位置して光を放出する領域と、ほとんど表面に出さずに隠している固定領域などを有する複雑でデザイン性の高い織物において、光ファイバーの屈曲、圧迫をできるだけ軽減した、導光性のよい織物組織や製造方法を提供すること。【解決手段】第７繊維の光ファイバーを保持する固定領域５２ｂと、第７繊維の光ファイバーを有し発光する光放出領域５２ａと、を含み、第１繊維、第２繊維と第６繊維とが織られた裏層２３と、第３繊維、第４繊維と第５繊維とが織られた表層２１と、上記表層と上記裏層との間の中層２２の空間に配置された上記光ファイバーと、を有する織物を用いる。【選択図】図１
2019108647.tif 000002
【特許請求の範囲】
【請求項１】
第７繊維の光ファイバーを保持する固定領域と、
前記光ファイバーを有し発光する光放出領域と、を含み、
第１繊維と、第２繊維と第６繊維とが織られた裏層と、
第３繊維と、第４繊維と第５繊維とが織られた表層と、
前記表層と前記裏層との間の中層の空間に配置された前記光ファイバーと、を有する織物。
【請求項２】
第７繊維の光ファイバーを保持する固定領域と、
前記光ファイバーを有し発光する光放出領域と、を含み、
第３繊維と第５繊維とが織られた表層と、
第１繊維を含む裏層と、
前記表層と前記裏層との間の中層の空間に配置された前記光ファイバーと、を有する織物。
【請求項３】
第７繊維の光ファイバーを保持する固定領域と、
前記光ファイバーを有し発光する光放出領域と、を含み、
前記第１繊維の一部の表層と、
前記第１繊維の他部の裏層と、
前記表層と前記裏層との間の中層の空間に配置された前記光ファイバーと、を有する織物。
【請求項４】
前記中層の空間に、さらに、第８繊維を配置した請求項１〜３のいずれか１項に記載の織物。
【請求項５】
前記光ファイバーは複数あり、
前記第８繊維は、前記複数の光ファイバーの端部に配置し、前記複数の光ファイバー間に第９繊維を配置した請求項４に記載の織物。
【請求項６】
前記第９繊維の繊維径は、前記光ファイバーの繊維径以下である請求項５に記載の織物。
【請求項７】
第７繊維の光ファイバーを保持する固定領域と、
前記光ファイバーを有し発光する光放出領域と、を含み、
前記固定領域では、
第１繊維と、第８繊維とが織られた表層と、
前記第１繊維と、第６繊維と前記第８繊維とが織られた裏層と、
前記表層と前記裏層との間の中層の空間に配置された前記光ファイバーと、を有する織物。
【請求項８】
第７繊維の光ファイバーを保持する固定領域と、
前記光ファイバーを有し発光する光放出領域と、を含み、
前記光放出領域では、
第１繊維と、第８繊維と前記第７繊維とが織られた表層と、
前記第１繊維と、第６繊維とが織られた裏層と、
前記表層と前記裏層との両層に配置された前記第８繊維と、を有する織物。
【請求項９】
さらに、前記第１繊維と織られない前記第７繊維を有する複数の袋領域を部分的に有する請求項７または８記載の織物。
【請求項１０】
前記固定領域での前記第１繊維が前記第７繊維の表側に位置する割合は、
前記光放出領域での前記第１繊維が前記第７繊維の表側に位置する割合より、大きい請求項７〜９のいずれか１項に記載の織物。
【請求項１１】
請求項１〜１０のいずれか１項に記載の織物と、
ＬＥＤ光源と、
前記ＬＥＤ光源を制御する制御部と、を含む照明装置。
【請求項１２】
光ファイバーを有する織物と、
前記織物へ光を照射するＬＥＤ光源と、
前記ＬＥＤ光源を制御する制御部と、
前記織物が曲がる部分に位置するコーナ部と、を含む照明装置。
【請求項１３】
光ファイバーを有する織物と、
前記織物へ光を照射するＬＥＤ光源と、
前記ＬＥＤ光源を制御する制御部と、
前記ＬＥＤ光源の周辺に位置する太陽電池と、を含む照明装置。
【請求項１４】
光ファイバーを有する織物と、
前記織物へ光を照射するＬＥＤ光源と、
前記ＬＥＤ光源を制御する制御部と、
前記織物の光を発しない部分上に位置する太陽電池と、を含む照明装置。
【請求項１５】
光ファイバーを有する織物と、
前記織物へ光を照射するＬＥＤ光源と、
前記ＬＥＤ光源を制御する制御部と、
前記ＬＥＤ光源と前記制御部へ電気を提供する２次電池と、
前記２次電池へ電気を供給する太陽電池と、
前記織物と前記ＬＥＤ光源と前記制御部と前記２次電池と前記太陽電池とを封止する封止部と、含む照明装置。
【請求項１６】
光ファイバーを有する織物と、前記織物へ光を照射するＬＥＤ光源と、前記ＬＥＤ光源を制御する制御部と、をカーテンの一方面に有し、
太陽電池を前記カーテンの他方の面に有するカーテン。
【請求項１７】
光ファイバーを有する織物と、前記織物へ光を照射するＬＥＤ光源と、
前記ＬＥＤ光源を制御する制御部と、階段の蹴上げ部分に配置した階段照明装置。
【請求項１８】
光ファイバーを有する織物と、前記織物へ光を照射するＬＥＤ光源と、
前記ＬＥＤ光源を制御する制御部と、をカバンの一方の面に有し、
太陽電池を前記カバンの他方の面に有するかばん。
【請求項１９】
スピーカと、
照明装置と、を含むスピーカ装置であり、
前記照明装置は、光ファイバーを有する織物とＬＥＤ光源と制御部を有し、
前記制御部は、前記スピーカが発する音に合わせて、前記ＬＥＤ光源が点灯するスピーカ装置。
【請求項２０】
、
画面と、
照明装置と、を含むモニターであり、
前記照明装置は、光ファイバーを有する織物とＬＥＤ光源と制御部を有し、
前記制御部は、前記モニターが発する音に合わせて、前記ＬＥＤ光源が点灯するモニター。
【請求項２１】
請求項１１から１６のいずれか１項に記載の前記照明装置を首に巻き付けるようにした首輪。
【請求項２２】
請求項１１から１６のいずれか１項に記載の前記照明装置を靴の側面に配置した靴。
【請求項２３】
請求項１１から１６のいずれか１項に記載の前記照明装置を携帯端末の側面に配置し、
前記照明装置は、コネクタを有し、前記携帯端末へコネクタで接続され、前記携帯端末の電気で光を放出する携帯端末。
【発明の詳細な説明】
【技術分野】
【０００１】
本発明は、織物に関する。特に、光ファイバーまたは、筒状体が織物の一部に入った織物に関する。
【背景技術】
【０００２】
従来、光ファイバーを織物の一部に入れ込んだ織物が考えられていた。例えば、特許文献１では、光ファイバーを織物の一部に入れ込んだ織物を開示している。
【先行技術文献】
【特許文献】
【０００３】
【特許文献１】特開２００９−８４７３８号公報
【発明の概要】
【発明が解決しようとする課題】
【０００４】
しかし、特許文献１では、デザインによって、光ファイバーを織物の表面に位置して光を放出する領域と、ほとんど表面に出さずに隠している固定領域などを有する複雑でデザイン性の高い織物において、光ファイバーの屈曲、圧迫をできるだけ軽減した、導光性のよい織物組織や製造方法について開示がない。
【０００５】
本発明はかかる問題に鑑みてなされたものであり、光ファイバーまたは筒状体などの位置を織物中で固定し、光ファイバーまたは筒状体の屈曲や圧迫を軽減し均一に光や香り等の気体を放出する織物を提供することを目的とする。
【課題を解決するための手段】
【０００６】
上記課題を解決するために、第７繊維の光ファイバーを保持する固定領域と、第７繊維の光ファイバーを有し発光する光放出領域と、を含み、第１繊維、第２繊維と第６繊維とが織られた裏層と、第３繊維、第４繊維と第５繊維とが織られた表層と、上記表層と上記裏層との間の中層の空間に配置された上記光ファイバーと、を有する織物を用いる（図１）。
【０００７】
また、第７繊維の光ファイバーを保持する固定領域と、第７繊維の光ファイバーを有し発光する光放出領域と、を含み、第３繊維と第５繊維とが織られた表層と、第１繊維を含む裏層と、上記表層と上記裏層との間の中層の空間に配置された上記光ファイバーと、を有する織物を用いる（図３）。
【０００８】
また、第７繊維の光ファイバーを保持する固定領域と、第７繊維の光ファイバーを有し発光する光放出領域と、を含み、上記第１繊維の一部の表層と、上記第１繊維の他部の裏層と、上記表層と上記裏層との間の中層の空間に配置された上記光ファイバーと、を有する織物を用いる（図５）。
【０００９】
第７繊維の光ファイバーを保持する固定領域と、第７繊維の光ファイバーを有し発光する光放出領域と、を含み、上記固定領域では、第１繊維と第８繊維とが織られた表層と、上記第１繊維と第６繊維と上記第８繊維が織られた裏層と、上記表層と上記裏層との間の中層の空間に配置された上記光ファイバーと、を有する織物を用いる（図１１）。
【００１０】
第７繊維の光ファイバーを保持する固定領域と、第７繊維の光ファイバーを有し発光する光放出領域と、を含み、上記光放出領域では、第１繊維と上記第７繊維とが織られた表層と、上記第１繊維と第６繊維とが織られた裏層と、上記表層と上記裏層との両層に配置された上記第８繊維と、を有する織物を用いる（図９）。
【００１１】
匂いを発する筒状体と、上記筒状体と織られた繊維と、を含む織物を用いる。
上記織物と、ＬＥＤ光源と、上記ＬＥＤ光源を制御する制御部と、を含む照明装置を用いる。
光ファイバーを有する織物と、上記織物へ光を照射するＬＥＤ光源と、上記ＬＥＤ光源を制御する制御部と、上記織物が曲がる部分に位置するコーナ部と、を含む照明装置を用いる（図１７（ｂ））。
【００１２】
光ファイバーを有する織物と、上記織物へ光を照射するＬＥＤ光源と、上記ＬＥＤ光源を制御する制御部と、上記ＬＥＤ光源の周辺に位置する太陽電池と、を含む照明装置を用いる（図１６）。
光ファイバーを有する織物と、上記織物へ光を照射するＬＥＤ光源と、上記ＬＥＤ光源を制御する制御部と、上記織物の光を発しない部分上に位置する太陽電池と、を含む照明装置を用いる（図１４）。
【００１３】
光ファイバーを有する織物と、上記織物へ光を照射するＬＥＤ光源と、上記ＬＥＤ光源を制御する制御部と、上記ＬＥＤ光源と上記制御部へ電気を提供する２次電池と、上記２次電池へ電気を供給する太陽電池と、上記織物と上記ＬＥＤ光源と上記制御部と上記２次電池と上記太陽電池とを封止する封止部と、含む照明装置を用いる（図２４）。
【００１４】
光ファイバーを有する織物と、上記織物へ光を照射するＬＥＤ光源と、上記ＬＥＤ光源を制御する制御部と、をカーテンの一方面に有し、太陽電池を上記カーテンの他方の面に有するカーテンを用いる（図２０（ｃ））。
光ファイバーを有する織物と、上記織物へ光を照射するＬＥＤ光源と、上記ＬＥＤ光源を制御する制御部と、階段の蹴上げ部分に配置した階段照明装置を用いる（図２２）。
【００１５】
光ファイバーを有する織物と、上記織物へ光を照射するＬＥＤ光源と、上記ＬＥＤ光源を制御する制御部と、をカバンの一方の面に有し、太陽電池を上記カバンの他方の面に有するかばんを用いる（図１９）。
スピーカと、照明装置と、を含むスピーカ装置であり、上記照明装置は、光ファイバーを有する織物とＬＥＤ光源と制御部を有し、上記制御部は、上記スピーカが発する音に合わせて、上記ＬＥＤ光源が点灯するスピーカ装置を用いる（図２５（ａ））。
【００１６】
画面と、照明装置と、を含むモニターであり、上記照明装置は、光ファイバーを有する織物とＬＥＤ光源と制御部を有し、上記制御部は、上記モニターが発する音に合わせて、上記ＬＥＤ光源が点灯するモニターを用いる（図２５（ｂ））。
上記照明装置を首に巻き付けるようにした首輪を用いる（図２５（ｂ））。
【００１７】
上記照明装置を靴の側面に配置した靴を用いる（図２５（ｂ））。
上記照明装置を携帯端末の側面に配置し、上記照明装置は、コネクタを有し、上記携帯端末へコネクタで接続され、上記携帯端末の電気で光を放出する携帯端末を用いる（図２６）。
【発明の効果】
【００１８】
本発明によれば、デザインによって、光ファイバーを織物の表面に位置して光を放出する領域と、ほとんど表面に出さずに隠している固定領域などを有する複雑でデザイン性の高い織物を実現できる。また、光ファイバーの屈曲、圧迫をできるだけ軽減した、導光性のよい織物組織や製造方法を提供できる。
【図面の簡単な説明】
【００１９】
【図１】（ａ）実施の形態１の織物１００の平面図、（ｂ）（ａ）のｂｂ´部分の断面図、（ｃ）、（ａ）のａａ´部分の断面図
【図２】（ａ）〜（ｂ）実施の形態２の織物２００の断面図
【図３】（ａ）〜（ｂ）実施の形態３の織物３００の断面図
【図４】実施の形態４の織物４００の模式的平面図
【図５】実施の形態４の織物４００の斜視図
【図６】実施の形態５の織物５００の模式的平面図
【図７】実施の形態５の織物５００の表面の立体的平面図
【図８】実施の形態５の織物５００の裏面の立体的平面図
【図９】（ａ）実施の形態５の織物５００の光放出領域５２ａの側面の斜視図、（ｂ）（ａ）の模式図
【図１０】（ａ）実施の形態５の織物５００の袋領域５２ｃの側面からの斜視図，（ｂ）（ａ）の模式図
【図１１】（ａ）実施の形態５の織物５００の固定領域５２ｂの側面からの斜視図、（ｂ）（ａ）の模式図
【図１２】（ａ）実施の形態１〜５の織物９１の図、（ｂ）実施の形態６の織物９２の図、（ｃ）実施の形態６の織物９２のパイプ９３を示す図
【図１３】（ａ）〜（ｂ）実施の形態６の織物９２の応用例を示す図
【図１４】（ａ）実施の形態７の照明装置８０１の平面図、（ｂ）（ａ）のａ−ａ面での拡大断面図、（ｃ）実施の形態７の照明装置８０１の動作のフロー図
【図１５】実施の形態７の照明装置８０１の変形例の平面図
【図１６】実施の形態７の照明装置８０１の変形例の平面図
【図１７】（ａ）実施の形態８の照明装置８０４の斜視図、（ｂ）（ａ）の平面図
【図１８】実施の形態８の照明装置８０４の平面図
【図１９】（ａ）実施の形態９のかばん４０の斜視図、（ｂ）実施の形態９のかばん４０の断面図
【図２０】（ａ）実施の形態１０のカーテン４１の正面図、（ｂ）実施の形態１０のカーテン４１の断面図、（ｃ）〜（ｄ）実施の形態１０照明装置８０６の変形例の照明装置８０７の正面図
【図２１】実施の形態１１の照明装置８０８の平面図
【図２２】実施の形態１１の照明装置８０７の平面図
【図２３】実施の形態１２の織物９００の平面図
【図２４】（ａ）実施の形態１３の照明装置８０８の断面図、（ｂ）実施の形態１３の照明装置８０８を犬の首輪へ応用した図、（ｃ）実施の形態１３の照明装置８０８を靴へ応用した図
【図２５】（ａ）実施の形態１４のスピーカ装置２５１の正面図、（ｂ）実施の形態１４のモニター２５２の正面図
【図２６】（ａ）実施の形態１５の携帯端末２５７の正面図、（ｂ）実施の形態１５の携帯端末２５７の側面図
【発明を実施するための形態】
【００２０】
以下の実施の形態にて、本願発明を説明する。１つの例示であり、以下の実施の形態に、本願発明は限定されない。
（実施の形態１）
図１（ａ）は、実施の形態１の織物１００の平面図である。図１（ｂ）は、図１（ａ）のｂｂ´部分の断面図である。図１（ｃ）は、図１（ａ）のａａ´部分の断面図である。
【００２１】
＜織物１００＞
織物１００は、光ファイバー領域５２と装飾領域５１とが繰り返されている。光ファイバー領域５２は、光ファイバーの第７繊維１７が織られた領域である。装飾領域５１は、光ファイバーが無い領域である。
【００２２】
光ファイバー領域５２は、固定領域５２ｂと光放出領域５２ａとを含む。これら２領域が繰り返される。また、固定領域５２ｂでは、光ファイバーの第７繊維１７への屈曲や圧迫が軽減され、光ファイバーの第７繊維１７を導光性のよい状態で、表面に出さず隠して固定できる領域である。
【００２３】
固定領域５２ｂは、第７繊維１７を固定する領域である。
光放出領域５２ａは、光ファイバーからの光を前面に放出する領域である。
装飾領域５１は、第１装飾領域５１ａと第２装飾領域５１ｂとを含む。これら２領域が繰り返される。
【００２４】
第１装飾領域５１ａは、光放出領域５２ａに隣り合う領域である。
第２装飾領域５１ｂは、固定領域５２ｂに隣り合う領域である。
【００２５】
織物１００は、第１繊維１１〜第７繊維１７で織られている。
＜第２装飾領域５１ｂ＞
第２装飾領域５１ｂの表層２１は、以下である。
【００２６】
第１繊維１１と第２繊維１２とが、Ｙ方向で、第６繊維１６がＺ方向に平行に位置する。第６繊維１６が、第１繊維１１と第２繊維１２とで織られている。
第２装飾領域５１ｂの裏層２３では、以下である。
【００２７】
同様に、第３繊維１３と第４繊維１４とが、Ｙ方向で、第５繊維１５がＺ方向に平行に位置する。第５繊維１５が、第３繊維１３と第４繊維１４とで織られている。
なお、中層２２には、光ファイバーの第７繊維１７はない。
【００２８】
＜固定領域５２ｂ＞
固定領域５２ｂの表層２１では、以下である。
第３繊維１３と第４繊維１４とが、Ｙ方向で、第５繊維１５がＺ方向に平行に位置する。第５繊維１５が、第３繊維１３と第４繊維１４とで織られている。
【００２９】
固定領域５２ｂの裏層２３では、以下である。
第１繊維１１と第２繊維１２とが、Ｙ方向で、第６繊維１６がＺ方向に平行に位置する。第６繊維１６が、第１繊維１１と第２繊維１２とで織られている。
【００３０】
さらに、固定領域５２ｂの中層２２には、第７繊維１７がＺ方向に平行に位置する。
第７繊維１７は、光ファイバーである。他の繊維は、光ファイバー以外の繊維である。光ファイバーは、表層２１と裏層２３との空間に挟まれ固定される。この空間で、光ファイバーは、他の繊維に対して織られず、光ファイバーは直線性を阻害されず固定される。光ファイバーは効率的に導光し、光を放出できる。
【００３１】
なお、光ファイバーは、第５繊維１５の３本と第６繊維１６の３本の間の凹んだ部分に保持される。図１（ｂ）、図１（ｃ）では、光ファイバーは２本であるが、３本以上でもよい。
＜光放出領域５２ａ＞
光放出領域５２ａでは、第３繊維１３、第４繊維１４が存在しないので、第７繊維１７の光ファイバーの光が外部へ照射されやすい。必要に応じてこの光放出領域５２ａを設けることができる。
【００３２】
なお、第３繊維１３、第４繊維１４を無くするのでなく、存在本数（割合）を減らすことでもよい。光ファイバーから光を放出しやすい。
なお、図１（ｃ）の光放出領域５２ａで、第３繊維１３、第４繊維１４のいずれか１方を残してもよい。
【００３３】
少なくとも、光放出領域５２ａの表層の繊維密度は、周辺の領域の繊維密度より低くするのが好ましい。
光放出領域５２ａの左右の第１装飾領域５１ａも、同様に、第３繊維１３、第４繊維１４が存在しない。
【００３４】
なお、第３繊維１３、第４繊維１４の繊維径を、第１繊維１１、第２繊維１２の繊維径より細くしてもよい。
＜第１装飾領域５１ａ＞
第１装飾領域５１ａの表層２１は、第２装飾領域５２ａの表層２１と同様である。
【００３５】
第１装飾領域５１ａの裏層２３では、以下である。
第３繊維１３と第４繊維１４とがなく、Ｙ方向で、第５繊維１５がＺ方向に平行に位置する。
【００３６】
なお、中層２２には、光ファイバーの第７繊維１７はない。
＜第７繊維１７＞
第７繊維１７は、光ファイバーである。光ファイバーは、製織性の観点から、樹脂製であることが好ましい。具体的には、（１）全反射されない屈折率の相関とされたコアとクラッドとを組合せた光ファイバーや（２）コア材に光散乱物質を配合した光ファイバーなどを利用できる。
【００３７】
即ち、上記（１）は、コア内を導光される光がクラッドとの間で全反射されず、漏光される現象を利用した側面発光型の光ファイバーである。一方、上記（２）は、散乱物質の配合により、コアとクラッドとの界面で光が全反射せず、光ファイバーの側面から散乱光が漏れ出る構造となった側面発光型の光ファイバーである。
【００３８】
このような光ファイバーでは、コア材に配合する光散乱物質の濃度の調整により側面発光輝度をコントロールできる。更には、これら以外の構成による側面発光型の光ファイバーであってもよい。これらの側面発光型の光ファイバーは、１種のみを用いてもよく２種以上を併用してもよい。
【００３９】
光ファイバーの直径は特に限定されないが、製織性を好適に得る観点から、例えば、０、０１ｍｍ以上２．０ｍｍ以下とすることができ、０．０５ｍｍ以上１．５ｍｍ以下が好ましく、０．１ｍｍ以上１．０ｍｍ以下がより好ましい。
また、第７繊維１７のすべてが光ファイバーである必要はない、その割合は限定されないが、通常、１０％以上であり、１０％以上９０％以下が好ましく、２０％以上８０％以下がより好ましく、３０％以上７０％以下が更に好ましい。
【００４０】
以下の実施の形態の光ファイバーも上記と同様である。
＜第１繊維１１〜第６繊維１６＞
第１繊維１１〜第６繊維１６は、非導光糸である。光ファイバーのような導光特性を有さない糸である。第１繊維１１〜第６繊維１６を構成する材料は限定されず、天然繊維であってもよいし、合成繊維であってもよい。合成繊維である場合、その構成樹脂としては、ナイロン６、ナイロン６６等のポリアミド系樹脂、ポリエチレンテレフタレート、ポリブチレンテレフタレート、ポリトリメチレンテレフタレート等のポリエステル系樹脂、ポリプロピレン等のポリオレフィン系樹脂、ポリアクリル系樹脂等が挙げられる。これらは１種のみを用いてもよく２種以上を併用してもよい。
【００４１】
第１繊維１１〜第６繊維１６の繊維径（繊度）は特に限定されないが、例えば、１０ｄｔｅｘ以上５０００ｄｔｅｘ以下とすることができ、２０ｄｔｅｘ以上４０００ｄｔｅｘ以下が好ましく、３０ｄｔｅｘ以上３０００ｄｔｅｘ以下がより好ましい。
第１繊維１１〜第６繊維１６は、透光阻害成分を含まなくてもよいが、透光阻害成分を含むことができる。第３繊維１３、第４繊維１４、第５繊維１５が、透光阻害成分を含む場合は、光ファイバーに対する遮光性を向上させることができる。
【００４２】
透光阻害成分は、透光を阻害できる成分であればよく、例えば、反射・分散により透光阻害してもよく、吸光により透光阻害してもよく、その他の作用により透光阻害してもよい。具体的には、着色剤（顔料、染料等）、吸光剤、増量剤（各種フィラー類等）等が挙げられる。これらは１種のみを用いてもよく２種以上を併用してもよい。このうち、例えば、顔料としては、アゾ系、フタロシアニン系、ペリノン系、ペリレン系、アンスラキノン系等の有機顔料、及び、カーボンブラック、群青、ベンガラ、酸化チタン、酸化鉄等の無機顔料を挙げることができる。これらは１種のみを用いてもよく２種以上を併用してもよい。また、染料としては、アンスラキノン系、ペリノン系、ペリレン系、アゾ系、メチン系、キノリン系等の染料を挙げることができる。これらのなかでは、より濃色な染料が好ましく、黒色系染料が特に好ましい。これらは１種のみを用いてもよく２種以上を併用してもよい。
【００４３】
＜効果＞
光放出領域５２ａで、光を放出し、固定領域５２ｂでしっかり、光ファイバーを屈曲させずに、保持できる。安定して効率よく光放出できる織物である。
（実施の形態２）
図２（ａ）、図２（ｂ）は、実施の形態２の織物２００の断面図である。実施の形態１との違いは、第８繊維１８を含むことである。第８繊維１８は、第１繊維１１から第６繊維１６と同様、光ファイバーでない繊維である。説明しない事項は実施の形態１と同様である。図２（ａ）、図２（ｂ）は、それぞれ図１（ｂ）、図１（ｃ）に相当する領域を示している。説明しない事項は実施の形態１と同様である。
【００４４】
第７繊維１７（光ファイバー）は、表層２１と裏層２３との空間の中層２２に挟まれ固定される。この中層２２の空間に、さらに、第８繊維１８が位置する。第７繊維１７と第８繊維１８とは、他の繊維に対して織られず、第７繊維１７（光ファイバー）は直線性を阻害されず固定される。第７繊維１７（光ファイバー）は曲がらないので効率的に光を放出できる。第８繊維１８は、さらに、第７繊維１７（光ファイバー）を守る役割がある。表層２１、裏層２３の繊維からの圧力を緩和する。第７繊維１７である光ファイバーの両脇に、第８繊維１８を配置している。
【００４５】
なお、第７繊維１７と第８繊維１８とは、他の繊維と、一部織られてもよい。この場合、第７繊維１７と第８繊維１８はいくらか固定される。
図２（ｂ）では、さらに、第７繊維１７である光ファイバー間にも、光ファイバーでない第９繊維１９を配置している。
【００４６】
＜繊維径＞
第８繊維１８の繊維径は、第７繊維１７（光ファイバー）の繊維径以上が好ましい。第８繊維１８が、第７繊維１７（光ファイバー）を保護するためである。
第９繊維１９の繊維径は、第７繊維１７（光ファイバー）の繊維径以下が好ましい。第９繊維１９が、第７繊維１７（光ファイバー）の位置のあそびを無くするためである。
【００４７】
＜効果＞
実施の形態１の効果に、加えてさらに、光ファイバーをしっかり保持できる。
実施の形態１と同様、光放出領域５２ａで、光を放出し、固定領域５２ｂでしっかり、光ファイバーを保持する。安定して光放出できる織物である。さらに、この実施の形態２では、よりしっかり光ファイバーを保護できる。
【００４８】
（実施の形態３）
図３（ａ）と図３（ｂ）は、実施の形態３の織物３００の断面図である。実施の形態１、２との違いは、第７繊維１７（光ファイバー）以外に使用している繊維が少ないことである。説明しない事項は実施の形態１、２と同様である。
【００４９】
図３（ａ）と図３（ｂ）は、実施の形態１の固定領域５２ｂと第２装飾領域５１ｂに相当する領域を示している。
固定領域５２ｂでは、第５繊維１５と第３繊維１３とが織られ、第１繊維１１は織られていない。第５繊維１５と第３繊維１３とが織られた表層２１と、第１繊維１１（裏層２３）との間の中間層２２の領域に、第７繊維１７の光ファイバーを配置している。この中間層２２の領域は、直線的に繋がり、第７繊維１７の光ファイバーの直進性を確保できる。結果、第７繊維１７の光ファイバーの光放出効率をよい状態で、光ファイバーを固定できる。
【００５０】
第２装飾領域５１ｂでは、第５繊維１５と第１繊維１１とが織られ、第３繊維１３は織られていない。第５繊維１５と第１繊維１１とが織られた表層２１と、第３繊維１３（裏層２３）との間の中間層２２の領域に、第７繊維１７の光ファイバーを配置していない。
【００５１】
図３（ｂ）では、さらに、第８繊維１８ａがある。図２（ａ）、図２（ｂ）と同様に、第７繊維１７の光ファイバーを保護するために、第８繊維１８ａを、第７繊維１７の光ファイバーに隣接して配置している。第７繊維１７の光ファイバーと第８繊維１８ａとの関係は、上記実施の形態２と同様である。さらに、図２（ｂ）の第９繊維１９を、同様に、用いてもよい。
【００５２】
＜効果＞
実施の形態１、２と同様、光放出領域５２ａで、光を放出し、固定領域５２ｂでしっかり、光ファイバーを保持する。安定して光放出できる織物である。さらに、この実施の形態３では、繊維の数が少なくともこの効果が生じる。
【００５３】
（実施の形態４）
図４と図５は、実施の形態４の織物４００の模式的平面図と斜視図である。実施の形態１〜３との違いは、第７繊維１７ｂ（光ファイバー）の織られ方と第７繊維１７ｂ（光ファイバー）近傍の第８繊維１８ｂ、第９繊維１９ｂの織られ方である。また、第７繊維１７ｂ（光ファイバー）を有さない領域がある。説明しない事項は実施の形態１〜３と同様である。
【００５４】
＜全体領域＞
図４の上下方向に、光ファイバー（第７繊維１７ｂ）を有する光ファイバー領域５２と、光ファイバー（第７繊維１７ｂ）を有さず、装飾性のための領域の装飾領域５１とを有する。
【００５５】
光ファイバー領域５２は、光ファイバー（第７繊維１７ｂ）で光を放出する領域である。この領域では、第７繊維１７ｂ（光ファイバー）と第６繊維１６ｂと第８繊維１８ｂと第９繊維１９ｂと、第１繊維１１ｂ１と第１繊維１１ｂ２とが織られている。第１繊維１１ｂ１が３本、第１繊維１１ｂ２が１本の割合で繰り返す。
【００５６】
装飾領域５１は、光ファイバー（第７繊維１７ｂ）は有さないが、明るい繊維である第７繊維１７ｃを有し、自然と目立つ領域である。
この領域では、第７繊維１７ｃと第６繊維１６ｂと第８繊維１８ｂと第９繊維１９ｂと、第１繊維１１ｂ１と第１繊維１１ｂ２とが織られている。
【００５７】
厚み方向（表裏方向）に、中層２２、裏層２３、表層２１がある。
また、区画された固定領域５２ｂ、光放出領域５２ａ、第１装飾領域５１ａ、第２装飾領域５１ｂがある。
光放出領域５２ａでは、第７繊維１７ｂ（光ファイバー）が多く表面に現れ、発光する部分である。
【００５８】
固定領域５２ｂでは、第７繊維１７ｂ（光ファイバー）が多く表面に現れず、光ファイバー（第７繊維１７ｂ）を保持している領域である。固定領域５２ｂは、光放出領域５２ａの両端に位置し、光放出領域５２ａで第７繊維１７ｂ（光ファイバー）が表面に出過ぎて不安定である分を、固定領域５２ｂで、光ファイバー（第７繊維１７ｂ）の屈曲や圧迫を軽減し、導光性を維持し、しっかり押さえ、保持する。
【００５９】
これにより、光ファイバーを表面に出す領域と隠す領域と有する複雑な織物が実現でき、デザイン性を発揮できる。
第１装飾領域５１ａでは、光放出領域５２ａに対比される領域で、発光はしないが、鮮やかな色彩の目立つ領域である。
【００６０】
第２装飾領域５１ｂでは、固定領域５２ｂに対比される領域で、発光せず、暗い色彩の領域である。明暗を付けることができる。
図４は、織物４００の模式的平面図で、表面に表れる繊維がわかる。
【００６１】
図５は、固定領域５２ｂの斜視図である。隣接する光放出領域５２ａも同様に、表層２１と裏層２３とを、第１繊維１１ｂ１、１１ｂ２が行ききする。中層２２には、第７繊維１７ｂ（光ファイバー）、第６繊維１６ｂ、第８繊維１８ｂ、第９繊維１９ｂが位置し、第１繊維１１ｂ１と第１繊維１１ｂ２とで中層２２を挟む。
【００６２】
固定領域５２ｂと光放出領域５２ａとでの相違点は、第１繊維１１ｂの表層２１に存在する割合である。固定領域５２ｂでは、光放出領域５２ａより、第１繊維１１ｂの表層２１に存在する割合が高い。
光ファイバー領域５２と、装飾領域５１とでは、第７繊維１７ｂ（光ファイバー）と第７繊維１７ｃ（光ファイバーでない）とが異なる。
【００６３】
＜繊維の種類＞
第７繊維１７ｂは、光ファイバーである。それ以外は、光ファイバー以外の繊維である。
第６繊維１６ｂ〜第９繊維１９ｂ、第７繊維１７ｂ（光ファイバー）、第７繊維１７ｃは、緯糸である。第１繊維１１ｂ１、１１ｂ２は経糸である。
【００６４】
図５からわかるように、固定領域５２ｂでは、第６繊維１６ｂ間の中層２２に、第７繊維１７ｂ（光ファイバー）と第８繊維１８ｂと第９繊維１９ｂとがある。
＜中層２２＞
固定領域５２ｂの中層２２では、第６繊維１６ｂ間の中層２２に、第７繊維１７ｂ（光ファイバー）の２本と第８繊維１８ｂの２本と第９繊維１９ｂの１本とが、交互に並んである。ただし、第８繊維１８ｂと第９繊維１９ｂとは、第７繊維１７ｂ（光ファイバー）を保護するもので必須ではない、あれば好ましい。
【００６５】
第２装飾領域５１ｂの中層２２も同様の構造であるが、第７繊維１７ｂ（光ファイバー）と第７繊維１７ｃとが変更されている。
＜光放出領域５２ａ＞
緯糸の第７繊維１７ｂ（光ファイバー）は、経糸の第１繊維１１ｂ（１１ｂ１＋１１ｂ２）で織られる。第１繊維１１ｂ１の１本が、第７繊維１７ｂ（光ファイバー）の表方へ、第１繊維１１ｂ（１１ｂ１＋１１ｂ２）の１１本が、第７繊維１７ｂ（光ファイバー）の裏方へ、配置される。この周期を繰り返す。この領域では、第７繊維１７ｂ（光ファイバー）は、より多く表面に出る。１１本に限定されない。９本〜１５本がよい。
【００６６】
緯糸の第８繊維１８ｂ、第９繊維１９ｂでは、第１繊維１１ｂ１の１本が、第８繊維１８ｂ、第９繊維１９ｂの表方へ、第１繊維１１ｂ（１１ｂ１＋１１ｂ２）の５本が、第８繊維１８ｂ、第９繊維１９ｂの裏方へ、配置される。この周期を繰り返す。５本に限定されない。この領域で、第８繊維１８ｂ、第９繊維１９ｂの表に出る本数は、第７繊維１７ｂ（光ファイバー）が表面に表れる本数より少ないのがよい。第７繊維１７ｂ（光ファイバー）より見立たないようにしている。
【００６７】
緯糸の第６繊維１６ｂは、経糸の第１繊維１１ｂ１，１１ｂ２で織られる。第１繊維１１ｂ（１１ｂ１＋１１ｂ２）の１１本が、第６繊維１６ｂの裏方へ、第１繊維１１ｂ２の１本が、第６繊維１６ｂの表方へ、配置される。この周期を繰り返す。
２本の第７繊維１７ｂ（光ファイバー）の周期、２本の第８繊維１８ｂの周期、１本の第９繊維１９ｂの周期とは、それぞれ位相がずれている。光の放出の均質性、第７繊維１７ｂ（光ファイバー）を全体として均質に保持する構造である。
【００６８】
＜第１装飾領域５１ａ＞
光放出領域５２ａの構造と同様の構造であるが、第７繊維１７ｂ（光ファイバー）が第７繊維１７ｃへと変更されている。
緯糸の第７繊維１７ｃは、経糸の第１繊維１１ｂ１，１１ｂ２で織られる。第１繊維１１ｂ１，１１ｂ２の４本と５本が、第７繊維１７ｃの表方へ、第１１繊維１１ｂ１，１１ｂ２の１本と１１本が、第７繊維１７ｂの裏方へ、配置される。この周期を繰り返す。この１１本は、光放出領域５２ａの第７繊維１７ｂ（光ファイバー）と同様、１１本でなくとも９本〜１５本でもよい。
【００６９】
緯糸の第８繊維１８ｂでは、第１繊維１１ｂ２の１本が、第８繊維１８ｂの裏方へ、第１繊維１１ｂ１の３本が、第８繊維１８ｂの表方へ、配置される。この周期を繰り返す。
緯糸の第９繊維１９ｂでは、第１繊維１１ｂ１の合計７本が、第９繊維１９ｂの表方へ、第１繊維１１ｂ２の合計３本が、第９繊維１９ｂの表方へ、配置される。図４で示すように、２本の第７繊維１７ｃが、１１本の第１繊維１１ｂ１，１１ｂ２の表方へ配置している部分の間の第９繊維１９ｂは、第１繊維１１ｂ２の１本が表方に、第１繊維１１ｂ１の３本が第９繊維１９ｂの裏方へ配置され、この周期を繰り返す。その他の部分では、第１繊維１１ｂ１の３本が第９繊維１９ｂの表方へ、第１繊維１１ｂ２の１本が第９繊維１９ｂの裏方へ配置され、この周期を繰り返す。
【００７０】
緯糸の第６繊維１６ｂは、経糸の第１繊維１１ｂ１，１１ｂ２で織られる。第１繊維１１ｂ１，１１ｂ２の１１本が、第６繊維１６ｂの裏方へ、第１繊維１１ｂ２の１本が、第６繊維１６ｂの表方へ、配置される。この周期を繰り返す。
２本の第７繊維１７ｃの周期、位相がずれている。
【００７１】
＜固定領域５２ｂ＞
緯糸の第７繊維１７ｂ（光ファイバー）は、経糸の第１繊維１１ｂ１，１１ｂ２で織られる。第１繊維１１ｂ１の３本が、第７繊維１７ｂ（光ファイバー）の表方へ、第１繊維１１ｂ２の１本が、第７繊維１７ｂ（光ファイバー）の裏方へ、配置される。この周期を繰り返す。
【００７２】
緯糸の第８繊維１８ｂ、第９繊維１９ｂも、同様である。３本、１本の周期は例示であり、別の周期でもよい。３本から５本が好ましい。３本が特によい。
第８繊維１８ｂ、第７繊維１７ｂ（光ファイバー）、第９繊維１９ｂの周期は同じで、図４で、上下方向で、ライン状で一致する。このラインに従い、緩やかに、第７繊維１７ｂ（光ファイバー）が全体として保持される。
【００７３】
緯糸の第６繊維１６ｂは、経糸の第１繊維１１ｂ１，１１ｂ２で織られる。第１繊維１１ｂ１，１１ｂ２の１１本が、第６繊維１６ｂの裏方へ、第１繊維１１ｂ２の１本が、第６繊維１６ｂの表方へ、配置される。この周期を繰り返す。
この固定領域５２ｂでは、第７繊維１７（光ファイバー）を、表面にあまり出さず、内部で固定する。さらに、光ファイバー（第７繊維１７ｂ）の屈曲もあまりさせず、しっかり保持できる。
【００７４】
＜第２装飾領域５１ｂ＞
緯糸の第７繊維１７ｃは、経糸の第１繊維１１ｂ１、１１ｂ２で織られる。第１繊維１１ｂ１の７本が、第７繊維１７ｃの表方へ、第１繊維１１ｂ２の１本が、第７繊維１７ｃの裏方へ、配置される。この周期を繰り返す。
【００７５】
緯糸の第８繊維１８ｂでは、第１繊維１１ｂ１の３本が、第８繊維１８ｂの表方へ、第１繊維１１ｂ２の１本が、第８繊維１８ｂの裏方へ、配置される。この周期を繰り返す。
緯糸の第９繊維１９ｂでは、第１繊維１１ｂ１の３本が、第９繊維１９ｂの表方へ、第１繊維１１ｂ２の１本が、第９繊維１９ｂの裏方へ、配置される。この周期を繰り返す。
【００７６】
緯糸の第６繊維１６ｂは、経糸の第１繊維１１ｂ１，１１ｂ２で織られる。第１繊維１１ｂ１，１１ｂ２の１１本が、第６繊維１６ｂの裏方へ、第１繊維１１ｂ２の１本が、第６繊維１６ｂの表方へ、配置される。この周期を繰り返す。
２本の第７繊維１７ｃの周期、位相がずれている。
【００７７】
＜全領域＞
第６繊維１６ｂは、装飾領域５１と光ファイバー領域５２の両方で、織り方に変化がない。
第７繊維１７ｂ（光ファイバー）、第８繊維１８ｂ、第９繊維１９ｂ、第７繊維１７ｃは、装飾領域５１と光ファイバー領域５２とで織られ方が異なる。
【００７８】
＜径＞
第６繊維１６ｂは、第７繊維１７ｂ（光ファイバー）、第８繊維１８ｂ、第９繊維１９ｂより径が大きい。第６繊維１６ｂで織物４００の全体の強度を確保する。
＜第７繊維１７ｂ、第８繊維１８ｂ、第９繊維１９ｂ＞
第７繊維１７ｂ（光ファイバー）、第８繊維１８ｂは、図２（ａ）、図２（ｂ）の第７繊維１７、第８繊維１８、第９繊維１９と同様である。つまり、第８繊維１８ｂがない場合でもよい。図２（ａ）のように、第７繊維１７ｂ（光ファイバー）の２本が第８繊維１８ｂの２本で挟まれた配置でもよい。図２（ｂ）のような、配置でもよい。第７繊維１７ｂ（光ファイバー）、第８繊維１８ｂの径も、第７繊維１７、第８繊維１８の径と同様である。
【００７９】
図５でわかるように、太い第６繊維１６ｂの２本で全体の骨格を形成し、強度が確保できている。
＜光ファイバー領域５２と装飾領域５１＞
光ファイバー（第７繊維１７ｂ）を有する光ファイバー領域５２と、光ファイバーを有さず、装飾性のための領域の装飾領域５１とで、明るい部分の分布は同様である。つまり、光放出領域５２ａに対向して第１装飾領域５１ａがある。光放出領域５２ａは、光ファイバー（第７繊維１７ｂ）により明るい。一方、第１装飾領域５１ａは、第７繊維１７ｃにより明るい。夜は、光ファイバー（第７繊維１７ｂ）点灯で光放出領域５２ａが明るく目立ち、昼間は、第１装飾領域５１ａが目立つ。両領域で、光ファイバー（第７繊維１７ｂ）と第７繊維１７ｃの配列は類似する。
【００８０】
＜効果＞
実施の形態１と同様、光放出領域５２ａで、光を放出し、固定領域５２ｂでしっかり、光ファイバー（第７繊維１７ｂ）を保持する。安定して光放出できる織物である。
【００８１】
さらに、この実施の形態４では、光放出領域５２ａ、第１装飾領域５１ａで、第７繊維１７ｂ（光ファイバー）、第７繊維１７ｃを対比的に配置し、また、複数の第７繊維１７ｂ（光ファイバー）、第７繊維１７ｃのそれぞれの周期が異なることで、装飾性が高い。
また、上記の構造では、第７繊維１７ｂ（光ファイバー）を裏面に出さず、保護できている。また、第７繊維１７ｂ（光ファイバー）をあまり屈曲させないので、破損せず、光放射効率が高くできている。
【００８２】
（実施の形態５）
図６は、実施の形態５の織物５００の模式的平面図である。図７、８は、実施の形態５の織物５００の立体的平面図で、それぞれ表面と裏面である。織物５００は、光放出領域５２ａ、固定領域５２ｂ、袋領域５２ｃと、を有する。記載しない事項は、上記実施の形態と同様である。
【００８３】
なお、織物５００は、光ファイバー（第７繊維１７ｂ）を有する領域である光ファイバー領域５２のみであるが、実施の形態４の織物４００のように、装飾領域５１があってもよい。
光放出領域５２ａは、発光する領域である。
【００８４】
固定領域５２ｂは、光ファイバー（第７繊維１７ｂ）を固定し、光ファイバーを表面から隠す領域である。光ファイバー（第７繊維１７ｂ）を織物５００中で、曲がらず、破損しないように安定に固定する領域である。
袋領域５２ｃは、光ファイバー（第７繊維１７ｂ）を裏層と表層の繊維のシートで覆っている袋状の領域である。光ファイバー（第７繊維１７ｂ）をＬＥＤなど光源などに繋ぐための領域である。
【００８５】
＜繊維の種類＞
第７繊維１７ｂは、光ファイバーである。それ以外は、光ファイバー以外の繊維である。
第６繊維１６ｂ、第８繊維１８ｂ、第７繊維１７ｂ（光ファイバー）は、緯糸である。第１繊維１１ｂ１と第１繊維１１ｂ２は経糸である。
【００８６】
経糸は、第１繊維１１ｂ１と第１繊維１１ｂ２のみである。
緯糸は、第６繊維１６ｂ、第８繊維１８ｂ、第７繊維１７ｂ（光ファイバー）、第８繊維１８ｂ、第７繊維１７ｂ（光ファイバー）、第６繊維１６ｂの順で繰り返す。第６繊維１６ｂの２本間に、第８繊維１８ｂ、第７繊維１７ｂ（光ファイバー）がそれぞれ２本位置する。
【００８７】
＜光放出領域５２ａ＞
光放出領域５２ａは、光ファイバー（第７繊維１７ｂ）が表面に多く出る領域である。
図６で１つの四角をコマとすると、第７繊維１７ｂ（光ファイバー）は、５コマか６コマ表に出て、１コマ、第１繊維１１ｂ１の裏側に出るという周期である。
【００８８】
第７繊維１７ｂ（光ファイバー）が、表にでるコマは、５〜１２コマがよい。
図９（ａ）に、光放出領域５２ａの側面の斜視図を示す。図９（ｂ）に、光放出領域５２ａの模式的な断面図を示す。
【００８９】
表層２１、中層２２、裏層２３がある。
第７繊維１７ｂ（光ファイバー）が表層２１に位置し、発光する。
第６繊維１６ｂは裏層２３に位置し、バランスをとっている。織物５００の強度を確保している。
【００９０】
第１繊維１１ｂは、表層側の第１繊維１１ｂ１と裏層側の第１繊維１１ｂ２とを含む。
第８繊維１８ｂは、中層２２にメインに位置するが、一部は、表層２１、裏層２３に位置し、表層２１と裏層２３と結合している。そのため、実線と破線の両方の位置を行き来する。
【００９１】
第７繊維１７ｂ（光ファイバー）、第６繊維１６ｂ、第８繊維１８ｂの順に、繊維径が小さくなる。
第６繊維１６ｂは太く、織物５００の強度を確保している。第８繊維１８ｂは、第６繊維１６ｂより細く、各層の接続をしている。
【００９２】
＜袋領域５２ｃ＞
図１０（ａ）に、袋領域５２ｃの側面の斜視図を示す。図１０（ｂ）に、袋領域５２ｃの模式的な断面図を示す。
第７繊維１７ｂの光ファイバーは、表面、裏面の両方にでず、中層２２に位置する。
【００９３】
裏層２３は、第６繊維１６ｂと第１繊維１１ｂ１、１１ｂ２とで構成される。
表層２１は、第８繊維１８ｂと第１繊維１１ｂ１とで構成される。
第７繊維１７ｂの光ファイバーの裏表に層があり、製造上、作業上、第７繊維１７ｂ（光ファイバー）を守れる。光ファイバー（第７繊維１７ｂ）は、他の繊維と織られないので、ＬＥＤなどの光源と接続しやすい。
【００９４】
＜固定領域５２ｂ＞
図１１（ａ）に、固定領域５２ｂの側面の斜視図を示す。図１１（ｂ）に、固定領域５２ｂの模式的な断面図を示す。
第７繊維１７ｂ（光ファイバー）は、中層２２に位置する。第６繊維１６ｂは、裏層２３に位置する。第８繊維１８ｂは、中層２２と表層２１の両方に位置し、表層２１と裏層２３とを結びつける。第１繊維１１ｂは、表層側の第１繊維１１ｂ１と裏層側の第１繊維１１ｂ２とを含む。
【００９５】
図６、図７，図８からわかるように、第７繊維１７ｂ（光ファイバー）に対して、第１繊維１１ｂ１は、３コマ表側に位置し、第１繊維１１ｂ２が１コマ裏側に位置する。これを繰り返す。３コマより少なくすると、光ファイバー（第７繊維１７ｂ）が曲がりやすく、光放出率がその部分で上がって導光性が悪くなる、破損もしやすい。３コマ以上が好ましい。５コマより多くなると、光ファイバー（第７繊維１７ｂ）の保持性が下がる。３コマから５コマが好ましい。特に３コマがよい。なお、この１コマ（第１繊維１１ｂ２のところ）では、第１繊維１１ｂ２が、裏層２３に位置する。
【００９６】
よって、第８繊維１８ｂは、表と裏に表れ表層２１と裏層２３とを行き来する。
第６繊維１６ｂは、表と裏に交互に表れ裏層２３に位置する。
第７繊維１７ｂは、表に表れ中層２２に位置する。
【００９７】
この部分（第６繊維１６ｂ、第７繊維１７ｂが、表面に表れる部分）は、図６の上下方向でライン状になる。このラインにそって、全体として緩やかに、光ファイバー（第７繊維１７ｂ）の屈曲や圧迫を軽減し、導光性を維持して、保持する。
図６でわかるように、第６繊維１６ｂに対して、第１繊維１１ｂ（１１ｂ１＋１１ｂ２）は、７コマ表側に位置し、１コマ裏側に位置する。これを繰り返す。第６繊維１６ｂは、織物５００の強度を確保するため、あまり表面に出ない。７コマでなくとも、５マコ〜９コマの範囲でもよい。
【００９８】
図６、図７、図８からわかるように、第８繊維１８ｂに対して、表層２１では、第１繊維１１ｂ１が４コマ表に位置し、１コマ裏側に位置する。また、裏層２３では、第１繊維１１ｂ２が１コマ表に出て３コマ裏側に位置していて周期性がある。
＜効果＞
実施の形態１と同様、光放出領域５２ａで、光を放出し、固定領域５２ｂでしっかり、第７繊維１７ｂ（光ファイバー）を表面から隠し保持する。安定して光放出できる織物５００である。つまり、第７繊維１７ｂ（光ファイバー）を表面（最表面）に出さず、屈曲をあまりさせず、内部で保持することで、第７繊維１７ｂ（光ファイバー）を保護でき、導光性をよくし、均一に光を放射できる。
【００９９】
さらに、この実施の形態５では、袋領域５２ｃがあり、光ファイバー（第７繊維１７ｂ）を光源などと接続しやすい。
光放出領域５２ａでは、第７繊維１７ｂ（光ファイバー）を表面へ出し、光を放出する。固定領域５２ｂでは、第７繊維１７ｂ（光ファイバー）を内部で固定する。固定領域５２ｂは、光ファイバー（第７繊維１７ｂ）を、ほとんど表面に出さないで、一部表面に出し、屈曲をあまりさせず固定、保持する。
【０１００】
光放出領域５２ａでは、表層２１に多くの光ファイバー（第７繊維１７ｂ）が現れ、光を放出する。
固定領域５２ｂでは、中層２２に光ファイバー（第７繊維１７ｂ）が位置し、光ファイバー（第７繊維１７ｂ）を固定する。
【０１０１】
光放出領域５２ａと固定領域５２ｂとでは、第８繊維１８ｂが表層２１と裏層２２とをつなげる。
実施の形態１〜４では、表層２１と裏層２３とが入れ替わり、全体が一体であった。この例では、第８繊維１８ｂで、表層２１と裏層２３とを結びつけている。結果、実施の形態１〜５の織物はいずれも、全体として一体化されている。
【０１０２】
＜実施の形態１〜５に関して＞
固定領域５２ｂでの第１繊維１１ｂが第７繊維１７ｂ（光ファイバー）の表側に位置する割合は、光放出領域５２ａでの第１繊維１１ｂが第７繊維１７ｂ（光ファイバー）の表側に位置する割合より、大きい。
【０１０３】
表層２１、裏層２３の織り方には限定されない。朱子織り、あぜ織りなどいろいろな織り方が可能である。
上記実施の形態１〜５を組み合わせることができる。
【０１０４】
（実施の形態６）
図１２（ａ）〜図１３（ｂ）は、実施の形態６を説明する図である。説明しない事項は、上記実施の形態と同様である。
図１２（ａ）は、上記実施の形態１〜５の織物９１の端部である。光ファイバー９０とＬＥＤ光源９６とが接続されたところの状態を示す。
【０１０５】
図１２（ｂ）は、実施の形態６の織物９２の端部である。光ファイバー９０が筒状体であるパイプ９３に代わり、ＬＥＤ光源９６が匂いの源９５に代わっている。パイプ９３は、チューブ、電線、導電糸、圧電糸など、中空の道を内部にする紐状または棒状のものである。
【０１０６】
匂い源９５は、匂いの元で、香水、薬剤などである。液体、気体いずれでもよい。薬剤の場合、殺菌性の薬剤を用いれば、病院などで殺菌を行うことができる。ウイルス除去、除菌ができる。蚊、はえ、などの害虫が嫌う薬剤を源に用いれば、害虫を寄せ付けないこともできる。
【０１０７】
また、匂いの源９５として、冷風、暖かい風の源とつなげば、冷風、暖風を放出できる。ここで、冷風、暖かい風の源は、扇風機、冷風機、ヒータと送風機の組み合わせ、氷またはドライアイスと送風機との組み合わせなどである。
なお、パイプ９３を電気が流れる繊維とし、匂いの源９５を電池とすると、パイプ９３が、ヒータとして働き、暖房ができる。また、静電気により部屋のゴミなどを寄せ付けないようにできる。電池の代わりに、コンセント、蓄電池とつなぐこともできる。
【０１０８】
記載しない事項は上記実施の形態と同じである。
織物９２は、匂いの源９５からの匂いをパイプ９３で運び、織物９２から放出する。カーテンや壁紙などに用いると、匂いを部屋に広げることができる。
【０１０９】
図１２（ｃ）は、パイプ９３である。筒状体であるパイプ９３は、内部が空洞で、匂いを運搬できる。第１繊維１１ｂと織られている。そして開口９４から外部へ匂いなどいろいろな気体を放出する。開口９４の開口面積の割合は、匂いの源９５から離れるに従い、大きくすると匂いが全体から放出されやすい。
【０１１０】
図１３（ａ）〜（ｂ）は、実施の形態６の織物９２の応用例を示す図である。
図１３（ａ）は、織物９２をカーテンや壁など基台１０２に組み込んだものである。車の内装、部屋の内装、トイレの内装などに用いることができる。図１３（ｂ）は、織物９２を物品１０１の一部に配置したものである。物品１０１である家電、情報機器などの一部に織物９２を配置できる。
【０１１１】
従来の１点から香りなどを発する場合と比較し、面として香りなどを発するので、より効率的に人へ香りなどが届く。
上記実施の形態１〜５の織物で、第７繊維１７の代わりに、パイプ９３を用いることができる。光ファイバーと同様、パイプ９３も曲がらない方が、匂いなど気体を効率よく放出しやすい。
【０１１２】
（実施の形態７）太陽電池付き照明装置
実施の形態７は、照明装置８０１に関する。説明しない事項は上記実施の形態と同様である。
【０１１３】
＜構造＞
照明装置８０１の平面図を図１４（ａ）に示す。図１４（ｂ）に図１４（ａ）のａ−ａ面での拡大断面図を示す。照明装置８０１は、織物８００とフレキ基板９７と太陽電池３０とを含む。
【０１１４】
フレキ基板９７は、ポリイミドシートからなる回路基板である。柔軟で曲がる基板である。その上に、２次電池３１と制御部３２とＬＥＤ光源９６とが実装されていて、それぞれを配線などで接続されている。
織物８００は、実施の形態１の図１の織物１００である。ただし、他の実施の形態の織物でもよい。また、織物としては、光ファイバーが織られた織物で、一部が表面に現れる織物ならよい。
【０１１５】
２次電池３１は、リチウム電池など、太陽電池３０で発生した電気を貯める２次電池である。
太陽電池３０は、織物８００の光放出領域５２ａ以外の領域（光ファイバーが表面に出ていない部分）の上面に配置される。図１４（ａ）では、太陽電池３０は、第１装飾領域５１ａ上に配置されている。太陽電池３０は、光放出領域５２ａ以外に配置すれるのが好ましい。太陽電池３０は、Ｓｉなどの平面状の太陽電池である。光を受け電気を発生し、２次電池３１へ電気を送る。
【０１１６】
制御部３２は、ＬＥＤ光源９６の点灯、消灯を制御する。照明装置８０１の全体を制御する。制御部３２は、ＩＣなどである。
ＬＥＤ光源９６は、ＬＥＤなどの発光素子である。ＬＥＤの発光色は必要に応じて選択する。ＬＥＤ光源９６は、織物８００の光ファイバーへ光を照射する。光ファイバーは、側面から光を放出しながら、光を伝達する。
【０１１７】
＜動作＞
図１４（ｃ）に、照明装置８０１の動作のフローを示す。
（１）    太陽電池３０は、光３３ａを受ける。
【０１１８】
（２）    太陽電池３０は、電気３４ａを発生する。
（３）    太陽電池３０は、２次電池３１へ電気３４ａを供給する。
（４）    ２次電池３１は、制御部３２へ電気３４ｂを、ＬＥＤ光源９６へ電気３４ｃを供給する。
【０１１９】
（５）    ＬＥＤ光源９６は、制御部３２の信号により、２次電池３１の電気３４ｄで点灯し、光３３ｂを発する。
（６）    織物８００は、光ファイバーで光３３ｂを伝えつつ、光３３ｃを外部へ放出し、装飾性を出す。
【０１２０】
制御部３２は、いろいろな制御ができる。別途、光センサーを有し、昼間は、太陽電池３０で光を蓄え、夜には、ＬＥＤ光源９６を点灯し、光を織物８００の光ファイバーから放出できる。
また、制御部３２は、２次電池３１の充電量に応じて、ＬＥＤ光源９６の光強度を制限し、長時間点灯することもできる。
【０１２１】
また、外部のリモコンにより制御部３２へ指示をし、ＬＥＤ光源９６の点灯、消灯を制御してもよい。
さらに、ＬＥＤ光源９６の点滅、複数のＬＥＤ光源９６を、時間をずらして点灯するなど制御してもよい。
【０１２２】
＜効果＞
太陽電池３０を有することで、別途電源が不要である。別途電源が不要であることで、後付けで、家、建物、携帯物などに設置できる。壁などに装飾性のある照明装置８０１を配置できる。
【０１２３】
＜変形例１＞：球状太陽電池
図１５は、照明装置８０１の変形例である。太陽電池３０として、球状太陽電池３０ａを用いた照明装置８０２の拡大断面図である。
球状太陽電池３０ａは、スフェラーパワー株式会社のものを用いることができる。球状太陽電池３０ａの配線を別途設置してもよいが、繊維１１ｃとして、導線を用いるとよい。導線を樹脂のフィルムでカバーしたものを用い、球状太陽電池３０ａとの接続部は、カバーが開放され、球状太陽電池３０ａと接続される。球状太陽電池３０ａは、通常の太陽電池３０より発光効率がよい。また、球状太陽電池３０ａは、球状なため、装飾性がよく、照明装置８０２の全体の意匠性が確保できる。
【０１２４】
＜変形例２＞：ＬＥＤ光の利用
図１６は、照明装置８０１の変形例の照明装置８０３である。図１６は、照明装置８０３のＬＥＤ光源９６付近の断面図である。説明しない事項は、上記照明装置と同様である。
【０１２５】
太陽電池３０と反射板３９とがＬＥＤ光源９６の上下に配置されている。ＬＥＤ光源９６の光は、織物８００内の光ファイバーへ照射される。しかし、いくらかの光が漏れる。その漏れた光を利用するため、太陽電池３０で電気に変えるものである。
ＬＥＤ光源９６の上下の少なくとも１方に、太陽電池３０を配置し、他方に反射板３９を配置する。反射板３９は、光を反射し、太陽電池３０の方へ光を向ける。さらに、太陽電池３０を、織物８００のＬＥＤ光源９６がある側と、反対側に設けるとよい。光ファイバーの終端で漏れる光を太陽電池３０でひろうことができる。光のエネルギーを無駄なく使用できる。
【０１２６】
なお、図１４（ａ）〜図１６で、太陽電池３０は、必須でなく別途コンセントなどから電力を提供してもよい。
（実施の形態８）：かべの照明装置
実施の形態８は、照明装置８０４に関する。説明しない事項は、実施の形態７と同様である。
【０１２７】
＜構造＞
照明装置８０４は、コーナーや、曲面などに配置する照明装置である。実施の形態の上記織物は、光ファイバーを有するが、ある程度曲げることができる。
図１７（ａ）は、照明装置８０４を、壁３３間のコーナー部分を介して、２つの壁に渡って配置した斜視図である。図１７（ｂ）は、図１７（ａ）の平面図である。図１８は、照明装置８０４の平面図である。
【０１２８】
照明装置８０４は、織物８００と、ＬＥＤ光源９６と、制御部３２と、２次電池３１と、コーナー部３５とを、有する。
＜照明装置８０４＞
図１８に、照明装置８０４の平面図を示す。この照明装置８０４は、図４の織物に、制御部３２と２次電池３１とＬＥＤ光源９６を配置している。
【０１２９】
織物８００は、上記他の実施の形態の織物でもよい。光ファイバーが織られていればよい。ただし、装飾領域５１を有する織物が好ましい。
昼間は、照明として働かず、装飾物として、装飾領域５１が活躍する。
【０１３０】
＜コーナー部３５＞
コーナー部３５は、織物８００が曲げる範囲をある範囲以内に、確保するためのものである。織物８００内には光ファイバーがあり、曲げる角度を急にすると導光性が悪くなる。そのため曲げる角度は出来る限り緩やかにした方がよい。  コーナー部３５は、弾性を有するゴムで形成するのが好ましい。光ファイバーは、それぞれ、ばらつきがあり、それらを吸収するために、弾性のあるコーナー部３５で緩和する。
【０１３１】
コーナー部３５は、織物８００と接する部分は、湾曲状で、徐々に曲がる形状、つまり、柱状の側面の形状である。コーナー部３５の他の部分は、壁３６ａ、３６ｂに接する部分で、平面である。コーナー部３５は、三角柱の１面を、円柱の側面にした形状である。
（実施の形態９）：かばん
実施の形態９は、かばん４０に関する。説明しない事項は、上記実施の形態と同様である。図１９（ａ）は、かばん４０の斜視図である。図１９（ｂ）は、かばん４０の断面図である。説明しない事項は、上記実施の形態と同様である。
【０１３２】
＜構造＞
かばん４０には、照明装置８０５が配置されている。照明装置８０５は、制御部３２と、織物８００と、ＬＥＤ光源９６と、太陽電池３０と、２次電池３１と、を有する。
【０１３３】
織物８００は、かばん４０の正面の側面に位置する。太陽電池３０は、裏面の側面に位置する。
太陽電池３０は、目立たない裏面に位置し、電気を作り、その電気を２次電池３１へ蓄える。太陽電池３０は、図示しないが、２次電池３１と繋がれている。
【０１３４】
織物８００は、夜間などに、ＬＥＤ光源９６が光ることで輝く。
織物８００で、光放出領域として、かばんのメーカ名、ブランド名、ブランドのマークなどを表示することできる。そのためには、マーク部分に相当する部分の光ファイバーを、表面に現れるようにするのが好ましい。
【０１３５】
＜制御部３２＞
制御部３２は、ＬＥＤ光源９６の点灯、消灯を制御する。
（１） 別途、光センサーを備え、夜など暗くなった場合に、ＬＥＤ光源９６を点灯させるのが好ましい。
【０１３６】
（２）２次電池３１に蓄えられた電気量を踏まえ、ＬＥＤ光源９６の点灯強度を制御するのが好ましい。
（３）制御部３２は、かばん４０が、床、机などに置かれたことを検知し、ＬＥＤ光源９６を消灯するのが好ましい。
【０１３７】
＜変形例＞
かばん４０に太陽電池３０を搭載せず、２次電池３１を別途充電し、かばん４０に保持してもいよい。
また、織物８００は、かばん４０の側面外側へ光を放出するが、かばん４０の内部へも光の一部を放出するのが好ましい。かばん４０の中身で物を探しやすい。
【０１３８】
（実施の形態１０）：カーテン４１または壁かけ照明
実施の形態１０は、カーテン４１または壁かけ照明に関する。以下、カーテン４１として説明するが、壁かけ照明機器として利用してもよい。
【０１３９】
説明しない事項は、上記実施の形態と同様である。
図２０（ａ）は、カーテン４１の正面図である。図２０（ｂ）は、カーテン４１の断面図である。
＜構造＞
カーテン４１には、照明装置８０６が配置されている。照明装置８０６は、制御部３２と織物８００とＬＥＤ光源９６と太陽電池３０と２次電池３１と本体４５とを有する。
【０１４０】
織物８００は、カーテン４１の正面に位置する。太陽電池３０は、カーテン４１の裏面に位置する。
太陽電池３０は、電気を２次電池３１へ蓄える。
【０１４１】
織物８００は、夜間などに、ＬＥＤ光源９６が光ることで輝く。
＜制御部３２＞
制御部３２は、ＬＥＤ光源９６の点灯、消灯を制御する。別途、光センサーを備え、夜など暗くなった場合に、ＬＥＤ光源９６を点灯させるのが好ましい。２次電池３１に蓄えられた電気量を踏まえ、ＬＥＤ光源９６の点灯の強度を制御するのが好ましい。
【０１４２】
＜変形例１＞
図２０（ｃ）に照明装置８０６の変形例の照明装置８０７の正面図を示す。基台４８上に、制御部３２と織物８００とＬＥＤ光源９６と２次電池３１とを有し、裏面に太陽電池３０を有する。基台４８には、固定部４７がある。太陽電池３０は必須でなく、電源から電気を供給してもよい。
【０１４３】
固定部４７は、開口、または、フック、突起などで、壁のフック、凹部、凸部などに掛けることができる。部屋の装飾用に使用できる。
＜変形例２＞
図２０（ｄ）は、照明装置８０６の変形例の照明装置８０７の正面図を示す。複数の照明装置８０７があり、タッチセンサー２５５と接続されている。タッチセンサー２５５を触ると、対応する照明装置８０７が点灯する。
【０１４４】
タッチセンサー２５５の代わりに圧力センサーでもよい。照明装置８０７は、それぞれ異なるパターンの光を放出してもよい。文字、模様などを表示してもよい。各々の照明装置８０７で色を変えてもよい。
【０１４５】
（実施の形態１１）：階段照明
実施の形態１１は、階段４９ａにおける照明装置である。図２１に照明装置８０８を、図２２に、照明装置８０７の平面図を示す。
【０１４６】
＜構造＞
照明装置８０７は、階段４９ａの各段間の蹴上げ部分に配置されている。織物８００の周辺に、太陽電池３０、２次電池３１、制御部３２、ＬＥＤ光源９６が配置されている。照明装置８０７の中央部分の織物８００が光り、装飾性を出す。
【０１４７】
照明装置８０８は、階段４９ａの傾斜に平行に壁に配置されている。照明装置８０８は、図示しないが、織物８００、太陽電池３０、２次電池３１、制御部３２、ＬＥＤ光源９６を有する。ＬＥＤ光源９６は、端部に配置し、光を端部から織物８００へ供給する。下から上へ、より光を放出する。その逆でもよい。織物８００で光ファイバーが表面に現れる割合を工夫し、階段４９ａの各場所で光は外部へ放出具合を変化させるとよい。そうすれば、階段でのそれぞれの場所が認識できる。定期的に光ファイバーを点灯させてもよい。人を感知するセンサーを別紙設け、人を感知し、光ファイバーを点灯してもよい。そうすれば、人がよい印象を受け、心が安らかになる。
【０１４８】
（実施の形態１２）：袋領域５２ｃ
実施の形態５で袋領域５２ｃを説明した。この実施の形態１２では、袋領域５２ｃを織物の任意の場所に設ける。説明しない事項は、実施の形態５と同様である。
【０１４９】
図２３に、織物９００の平面図を示す。固定領域５２ｂと光放出領域５２ａに、袋領域５２ｃある。場所は任意の場所でよい。
この袋領域５２ｃは、光ファイバー（第７繊維１７ｂ）が他の繊維で編まれていない。このため、この領域では、光ファイバーが自由に移動できる。このため、この袋領域５２ｃに留め具などを配置して、織物９００を他のものへ固定できる。または、固定されるものに、突起などがあった場合、この袋領域５２ｃを利用して、突起を貫通させることもできる。
【０１５０】
当然、実施の形態７〜１１、１３以降の照明装置でも利用できる。
（実施の形態１３）
実施の形態１３は、上記織物を利用した照明装置８０８に関する。図２４（ａ）は、実施の形態１３の照明装置８０８の断面図である。図２４（ｂ）と図２４（ｃ）は、それぞれ、その照明装置８０８を犬の首輪と靴とへ応用した図である。説明しない事項は、上記の実施の形態と同様である。
【０１５１】
照明装置８０８は、支え部２４３があり、その上方に織物１０００がある。また、ＬＥＤ光源９６、２次電池３１、制御部３２、太陽電池３０がある。これら全体を封止部２４２で封止している。
織物１０００は、上記実施の形態のいずれかの織物を使用できる。
【０１５２】
太陽電池３０は、球状太陽電池、または、小片の太陽電池を複数用いることができる。照明装置８０８は、変形される用途用で、曲がるように工夫されている。
支え部２４３は、織物１０００が急激に曲がるのを防ぐ、補強材である。金属やゴムまたは樹脂などである。
【０１５３】
封止部２４２は、織物１０００など各部材を、守る樹脂、ゴムなど柔軟性があるものである。封止部２４２は、外部からの水、衝撃から、内容物を守る。
また、照明装置８０８は、上記実施の形態の照明装置のいずれかでもよい。
【０１５４】
照明装置８０８は、人やかばん、動物、乗り物などへ付着させて利用できる。
（実施の形態１４）
実施の形態１４は、上記織物を利用したスピーカ装置２５１に関する。図２５（ａ）は、実施の形態１４のスピーカ装置２５１の正面図である。スピーカ装置２５１は、スピーカ２５４と、照明装置８０９とを有する。照明装置８０９は、織物１１００と、ＬＥＤ光源９６と、制御部３２を有する。説明しない事項は、上記の実施の形態と同様である。
【０１５５】
スピーカ２５４は、音は発信する部分である。
照明装置８０９は、上記実施の形態のいずれかの織物を用いることができる。
制御部３２は、スピーカ装置２５１、または、別の媒体、スマホ、パソコンなどから、指示情報を得て、スピーカ２５４の音と同期して、光を放出できる。
【０１５６】
または、スピーカ２５４の振動、または、音を検知し、それに応じて、または、同期して、光を放出できる。
なお、スピーカ装置２５１は、太陽電池、２次電池を、さらに有するとよりよい。また、照明装置８０９は、上記実施の形態の照明装置のいずれかでもよい。
【０１５７】
図２５（ｂ）は、実施の形態１４の別の実施の形態のモニター２５２の正面図を示す。説明しない事項は、上記の実施の形態と同様である。モニター２５２は、画面２５３と照明装置８１０を有する。照明装置８１０は、織物１１００とＬＥＤ光源９６と制御部３２とを有する。
【０１５８】
画面２５３は、デイスプレイでテレビ、映画、ビデオなど映像を表示する。その周りに照明装置８１０がある。
照明装置８１０は、上記実施の形態の照明装置でよい。織物１１００も上記実施の形態の織物でよい。
【０１５９】
制御部３２は、モニター２５２、または、別の媒体、スマホ、パソコンなどから、指示情報を得て、モニター２５２の映像、または、音と同期して、光を放出できる。または、制御部３２は、モニター２５２の映像の検知し、それに応じて、または、同期して、光を放出してもよい。
【０１６０】
なお、モニター２５２は、太陽電池、２次電池を、さらに有するとよりよい。また、照明装置８１０は、上記実施の形態の照明装置のいずれかでもよい。
（実施の形態１５）
実施の形態１５は、上記織物を利用した携帯端末２５７に関する。図２６（ａ）は、実施の形態１５の携帯端末２５７の正面図である。図２６（ｂ）は、実施の形態１５の携帯端末２５７の側面である。説明しない事項は、上記実施の形態と同様である。
【０１６１】
携帯端末２５７は、照明装置８１１が１つの面に配置されている。たとえば、スマートホンなどの携帯機器である。
照明装置８１１は、織物１２００、ＬＥＤ光源９６、制御部３２、コネクター２５６を有する。
【０１６２】
織物１２００は、上記いずれかの織物を使用できる。
ＬＥＤ光源９６は、ＬＥＤであり、制御部３２により制御される。
制御部３２は、ＬＥＤ光源９６を制御する。ＩＣなどである。
【０１６３】
コネクター２５６は、携帯端末２５７から電気を受け取りＬＥＤ光源９６、制御部３２へ供給する。
さらに、携帯端末２５７内部のソフト、アプリにより、照明装置８１１のＬＥＤ光源９６のＯＮ、ＯＦＦを制御してもよい。たとえば、ＬＥＤ光源９６を、携帯端末２５７の通信に従い点滅されることや、通信の種類、例えば、メール受信、ＳＮＳ受信、電話受信、ライン受信に応じて、ＬＥＤ光源９６の点灯の仕方を変えてもよい。
【０１６４】
結果、携帯端末２５７の意匠性がより増す。
（全体として）
実施の形態は組み合わせることができる。なお、太陽電池は、必須でなく、コンセントなどから電源をとることもできる。
【０１６５】
実施の形態の織物の製造方法は、ドビー機やジャガード機を搭載した織機を用いてできる。
【産業上の利用可能性】
【０１６６】
本願発明の織物、照明装置は、広く利用される。自動車の内装、天井の布、電車、飛行機などの壁、天井、階段などに用いられる。その他、建物、住宅、施設、ビルの壁用の布、照明としても用いられる。
【符号の説明】
【０１６７】
１０  繊維
１１、１１ｂ、１１ｂ１，１１ｂ２  第１繊維
１２  第２繊維
１３  第３繊維
１４  第４繊維
１５  第５繊維
１６、１６ｂ  第６繊維
１７、１７ｂ、１７ｃ  第７繊維
１８、１８ｂ  第８繊維
１９  繊維
２１  表層
２２  中層
２３  裏層
３０  太陽電池
３１  ２次電池
３１ａ  球状太陽電池
３２  制御部
３３  壁
３３ａ、３３ｂ、３３ｃ  光
３４ａ、３４ｂ、３４ｃ、３４ｄ  電気
３５  コーナ部
３６ａ  天井
３６ｂ、３６ｃ  壁
３９  反射板
４０  かばん
４１  カーテン
４２  レール
４３  止め部
４４  織り目
４７  固定部
４８  基台
４９  手すり
４９ａ  階段
５１  装飾領域
５１ａ  第１装飾領域
５１ｂ  第２装飾領域
５２  光ファイバー領域
５２ａ  光放出領域
５２ｂ  固定領域
５２ｃ  袋領域
９０  光ファイバー
９１、９２  織物
９３  パイプ
９４  開口
９５  匂いの源
９６  ＬＥＤ光源
１００、１０２、２００、３００、４００、５００、６００、７００、８００、９００、１０００、１１００、１２００  織物
１０１  物品
１０２  基台
２４０  犬 
２４１  靴
２４２  封止部
２４３  支え部
２５１  スピーカ装置
２５２  モニター
２５３  画面
２５４  スピーカ
２５５  タッチセンサー
２５６  コネクター
２５７  携帯端末
８０１，８０２，８０３，８０４，８０５、８０６，８０７、８０８、８０９、８１１  照明装置
【図１】
2019108647.tif 000003
【図２】
2019108647.tif 000004
【図３】
2019108647.tif 000005
【図４】
2019108647.tif 000006
【図５】
2019108647.tif 000007
【図６】
2019108647.tif 000008
【図７】
2019108647.tif 000009
【図８】
2019108647.tif 000010
【図９】
2019108647.tif 000011
【図１０】
2019108647.tif 000012
【図１１】
2019108647.tif 000013
【図１２】
2019108647.tif 000014
【図１３】
2019108647.tif 000015
【図１４】
2019108647.tif 000016
【図１５】
2019108647.tif 000017
【図１６】
2019108647.tif 000018
【図１７】
2019108647.tif 000019
【図１８】
2019108647.tif 000020
【図１９】
2019108647.tif 000021
【図２０】
2019108647.tif 000022
【図２１】
2019108647.tif 000023
【図２２】
2019108647.tif 000024
【図２３】
2019108647.tif 000025
【図２４】
2019108647.tif 000026
【図２５】
2019108647.tif 000027
【図２６】
2019108647.tif 000028